(57)【要約】【課題】本発明の目的は、製本機におけるピックアップを考慮して面付を行なうスキルをオペレータに要求することのない印刷システムを提供することである。【解決手段】複数の印刷データによる表現内容を印刷用紙に印刷する際の面付と、製本機が製本のため印刷用紙を取得する方向と、に基づいて作成した面付済み印刷データの出力順序を決定することにより、オペレータが製本機における印刷用紙のピックアップを考慮した複数の印刷データの面付を行なわなずに済む。【選択図】　　図１
2004078449.tif 000002
【特許請求の範囲】
【請求項１】
印刷データによる表現内容を印刷用紙に印刷し、該印刷データの表現内容が印刷された複数の印刷用紙を製本するための製本機が接続された印刷機と、前記印刷機に前記印刷データを供給するコントローラと、からなる印刷システムであって、
前記コントローラは、
前記印刷機にて印刷を行なう複数の前記印刷データを格納する印刷データ格納手段と、
前記製本機が製本のため前記印刷機より供給される印刷が行なわれた前記複数の印刷用紙の取得に関する情報を製本機設定情報として取得する製本機設定情報取得手段と、
複数の前記印刷データによる表現内容を前記印刷用紙に印刷する際に行なわれる面付に関する情報を面付情報として設定する面付情報設定手段と、
前記製本機設定情報取得手段で取得された製本機設定情報と、前記面付情報設定手段で設定された面付情報とから、複数の前記印刷データより面付済み印刷データを作成し、複数の前記面付済み印刷データの出力順序を決定する印刷データ出力順序決定手段と、
前記印刷データ出力順序決定手段による出力順序で、複数の前記面付済み印刷データを前記印刷機へ出力する印刷データ出力手段と、
を有し、
前記印刷機は、前記印刷データ出力手段より出力された順序で複数の前記面付済み印刷データによる表現内容を前記印刷用紙に印刷し、該印刷用紙を前記接続された製本機に複数供給すること、
を特徴とする印刷システム。
【請求項２】
前記印刷データ出力順序決定手段は、前記面付情報設定手段にて設定された開き方向に基づいて複数の前記面付済み印刷データの出力順序を決定すること、を特徴とする請求項１に記載の印刷システム。
【請求項３】
前記印刷データ出力順序決定手段は、前記面付情報設定手段にて設定された綴じ方に基づいて複数の前記面付済み印刷データの出力順序を決定すること、を特徴とする請求項１に記載の印刷システム。
【請求項４】
印刷データによる表現内容を印刷用紙に印刷し、該印刷データの表現内容が印刷された複数の印刷用紙を製本するための製本機が接続された印刷機に、前記印刷データを供給する印刷システムのコントローラであって、
前記印刷機にて印刷を行なう複数の前記印刷データを格納する印刷データ格納手段と、
前記製本機が製本のため前記印刷機より供給される印刷が行なわれた前記複数の印刷用紙の取得に関する情報を製本機設定情報として取得する製本機設定情報取得手段と、
複数の前記印刷データによる表現内容を前記印刷用紙に印刷する際に行なわれる面付に関する情報を面付情報として設定する面付情報設定手段と、
前記製本機設定情報取得手段で取得された製本機設定情報と、前記面付情報設定手段で設定された面付情報とから、複数の前記印刷データより面付済み印刷データを作成し、複数の前記面付済み印刷データの出力順序を決定する印刷データ出力順序決定手段と、
前記印刷データ出力順序決定手段による出力順序で、複数の前記面付済み印刷データを前記印刷機へ出力する印刷データ出力手段と、
を有することを特徴とする印刷システムのコントローラ。
【請求項５】
印刷データによる表現内容を印刷用紙に印刷し、該印刷データの表現内容が印刷された複数の印刷用紙を製本するための製本機が接続された印刷機と、前記印刷機に前記印刷データを供給するコントローラと、からなる印刷システムにおける印刷方法であって、
前記コントローラにおいて、
前記印刷機にて印刷を行なう複数の前記印刷データを格納する印刷データ格納工程と、
前記製本機が製本のため前記印刷機より供給される印刷が行なわれた前記複数の印刷用紙の取得に関する情報を製本機設定情報として取得する製本機設定情報取得工程と、
複数の前記印刷データによる表現内容を前記印刷用紙に印刷する際に行なわれる面付に関する情報を面付情報として設定する面付情報設定工程と、
前記製本機設定情報取得工程で取得された製本機設定情報と、前記面付情報設定工程で設定された面付情報とから、複数の前記印刷データより面付済み印刷データを作成し、複数の前記面付済み印刷データの出力順序を決定する印刷データ出力順序決定工程と、
前記印刷データ出力順序決定工程による出力順序で、複数の前記面付済み印刷データを前記印刷機へ出力する印刷データ出力工程と、
が実行され、
前記印刷機において、
前記印刷データ出力工程より出力された順序で複数の前記面付済み印刷データによる表現内容を前記印刷用紙に印刷する印刷工程と、
前記接続された製本機に前記印刷工程で印刷が行なわれた印刷用紙を供給する供給工程と、
が実行されることを特徴とする印刷システムの印刷方法。
【請求項６】
請求項４に記載の印刷システムのコントローラを一般的に使用されているコンピュータで実現するためのプログラムを記録したコンピュータ読み取り可能な記録媒体。
【請求項７】
請求項４に記載の印刷システムのコントローラを一般的に使用されているコンピュータで実現するためのプログラムを記録したプログラム。
【発明の詳細な説明】
【０００１】
【産業上の利用分野】
製本機と接続された印刷機と、該印刷機に印刷データを供給して印刷を行なわせるコントローラとからなる印刷システムであって、特に製本機での製本作業を効率的に実行することができる印刷システムに関する。
【０００２】
【従来の技術】
最近、一般に使用されているコンピュータ上で機能するＤＴＰアプリケーションで作成された印刷データを、刷版作成工程を経ずに、直接印刷用紙に印刷することができるデジタル印刷機が実用化されている。さらに、このようなデジタル印刷機に直接製本機を接続して、デジタル印刷機から排紙された印刷用紙を製本機に送り込むことにより、ページ作成から製本までを一貫して行なう印刷システムについても開発が進んでいる。
【０００３】
【発明が解決しようとする課題】
通常の印刷においては、折りや綴じを考慮して、印刷用紙の一面に対して印刷データにより表現される印刷像を複数面付することが行なわれており、デジタル印刷機においてもこのような面付を実行した形で、印刷が行なわれることが望ましい。
ところが、デジタル印刷機に製本機が接続されている場合には、製本機による印刷用紙のピックアップを考慮して面付を行なわなければならない、という問題があった。
【０００４】
例えば、８ページからなるドキュメントを２枚の印刷用紙Ｐａ、Ｐｂに印刷するに際して、折りの方向を左開き、綴じの設定を中綴じとした場合には、正しいページ並びのドキュメントを作成するため、８ページ、１ページが印刷用紙Ｐａの表面に、７ページ、２ページが印刷用紙Ｐａの裏面に、６ページ、３ページが印刷用紙Ｐｂの表面に、５ページ、４ページが印刷用紙Ｐｂの裏面に、それぞれ面付される。デジタル印刷機は、複数の印刷データＲＰＤそれぞれにより表現される印刷像がそれぞれ面付された印刷用紙Ｐａ、Ｐｂを排紙する。この時、製本機による印刷用紙のピックアップが、集積された印刷用紙の最上位からであるならば、製本機は印刷用紙Ｐａ、Ｐｂの順でピックアップを行なうので、正しいページ並びのドキュメントが作成される。
【０００５】
しかし、製本機による印刷用紙のピックアップが、集積された印刷用紙の最下位からであるならば、製本機が印刷用紙をピックアップする順序はＰｂ、Ｐａとなることから、正しいページ並びのドキュメントを作成することができない。したがって、製本機による印刷用紙のピックアップが、集積された印刷用紙の最下位からであるならば、デジタル印刷機のオペレータは、印刷用紙Ｐａの表面に５ページ、４ページを、裏面に６ページ、３ページを、印刷用紙Ｐｂの表面に７ページ、２ページを、裏面に８ページ、１ページを、それぞれ面付する必要がある。
【０００６】
したがって、デジタル印刷機のオペレータは、デジタル印刷機に接続された製本機における印刷用紙のピックアップについて熟知していなければ、面付を行なうことができない、という問題が生じている。
本発明の目的は、製本機におけるピックアップを考慮して面付を行なうスキルをオペレータに要求することのない印刷システムを提供することである。
【０００７】
【課題を解決するための手段】
かかる課題を解決する為に、請求項１に係る発明は、印刷データによる表現内容を印刷用紙に印刷し、該印刷データの表現内容が印刷された複数の印刷用紙を製本するための製本機が接続された印刷機と、前記印刷機に前記印刷データを供給するコントローラと、からなる印刷システムであって、前記コントローラは、前記印刷機にて印刷を行なう複数の前記印刷データを格納する印刷データ格納手段と、前記製本機が製本のため前記印刷機より供給される印刷が行なわれた前記複数の印刷用紙の取得に関する情報を製本機設定情報として取得する製本機設定情報取得手段と、複数の前記印刷データによる表現内容を前記印刷用紙に印刷する際に行なわれる面付に関する情報を面付情報として設定する面付情報設定手段と、前記製本機設定情報取得手段で取得された製本機設定情報と、前記面付情報設定手段で設定された面付情報とから、複数の前記印刷データより面付済み印刷データを作成し、複数の前記面付済み印刷データの出力順序を決定する印刷データ出力順序決定手段と、前記印刷データ出力順序決定手段による出力順序で、複数の前記面付済み印刷データを前記印刷機へ出力する印刷データ出力手段と、を有し、前記印刷機は、前記印刷データ出力手段より出力された順序で複数の前記面付済み印刷データによる表現内容を前記印刷用紙に印刷し、該印刷用紙を前記接続された製本機に複数供給すること、を特徴としている。
【０００８】
請求項１に記載の印刷システムは、複数の印刷データによる表現内容を印刷用紙に印刷する際の面付と、製本機が製本のため印刷用紙を取得する方向と、に基づいて作成した面付済み印刷データの出力順序を決定することにより、オペレータが製本機における印刷用紙にピックアップを考慮して複数の印刷データの面付を行なわなくてもよいので、スキルレスな操作を実現する印刷システムを提供することができる。
【０００９】
また請求項２に係る発明は、請求項１に記載の印刷システムであって、前記印刷データ出力順序決定手段は、前記面付情報設定手段にて設定された開き方向に基づいて複数の前記面付済み印刷データの出力順序を決定すること、を特徴としている。
【００１０】
請求項２に記載の印刷システムは、面付済み印刷データの出力順を決定するに際して、印刷データの表現する印刷像が印刷されたドキュメントの開き方向が右開きであるか左開きであるかにより、面付済み印刷データの出力順序を決定する。これにより、オペレータが製本機における印刷用紙にピックアップを考慮ぜずともよく、さらにドキュメントの開き方向を考慮して複数の印刷データの面付を行なわなくてもよいので、スキルレスな操作を実現する印刷システムを提供することができる。
【００１１】
請求項３に係る発明では、請求項１に記載の印刷システムであって、前記印刷データ出力順序決定手段は、前記面付情報設定手段にて設定された綴じ方に基づいて複数の前記面付済み印刷データの出力順序を決定すること、を特徴としている。
【００１２】
請求項３に記載の印刷システムは、面付済み印刷データの出力順を決定するに際して、面付済み印刷データの表現する印刷像が印刷されたドキュメントの綴じ方が中綴じであるか平綴じであるかにより、面付済み印刷データの出力順序を決定する。これにより、オペレータが製本機における印刷用紙にピックアップを考慮せずともよく、さらにドキュメントの綴じ方を考慮して複数の印刷データの面付を行なわなくてもよいので、スキルレスな操作を実現する印刷システムを提供することができる。
【００１３】
加えて請求項４に係る発明では、印刷データによる表現内容を印刷用紙に印刷し、該印刷データの表現内容が印刷された複数の印刷用紙を製本するための製本機が接続された印刷機に、前記印刷データを供給する印刷システムのコントローラであって、前記印刷機にて印刷を行なう複数の前記印刷データを格納する印刷データ格納手段と、前記製本機が製本のため前記印刷機より供給される印刷が行なわれた前記複数の印刷用紙の取得に関する情報を製本機設定情報として取得する製本機設定情報取得手段と、複数の前記印刷データによる表現内容を前記印刷用紙に印刷する際に行なわれる面付に関する情報を面付情報として設定する面付情報設定手段と、前記製本機設定情報取得手段で取得された製本機設定情報と、前記面付情報設定手段で設定された面付情報とから、複数の前記印刷データより面付済み印刷データを作成し、複数の該面付済み印刷データの出力順序を決定する印刷データ出力順序決定手段と、前記印刷データ出力順序決定手段による出力順序で、複数の前記面付済み印刷データを前記印刷機へ出力する印刷データ出力手段と、を有することを特徴としている。
【００１４】
請求項４に記載の印刷システムのコントローラは、複数の印刷データによる表現内容を印刷用紙に印刷する際の面付と、製本機が製本のため印刷用紙を取得する方向と、に基づいて作成した面付済み印刷データの出力順序を決定することにより、オペレータが製本機における印刷用紙にピックアップを考慮して複数の印刷データの面付を行なわなくてもよいので、スキルレスな操作を実現することができる。
【００１５】
また、請求項５に係わる発明では、印刷データによる表現内容を印刷用紙に印刷し、該印刷データの表現内容が印刷された複数の印刷用紙を製本するための製本機が接続された印刷機と、前記印刷機に前記印刷データを供給するコントローラと、からなる印刷システムにおける印刷方法であって、前記コントローラにおいて、前記印刷機にて印刷を行なう複数の前記印刷データを格納する印刷データ格納工程と、前記製本機が製本のため前記印刷機より供給される印刷が行なわれた前記複数の印刷用紙の取得に関する情報を製本機設定情報として取得する製本機設定情報取得工程と、複数の前記印刷データによる表現内容を前記印刷用紙に印刷する際に行なわれる面付に関する情報を面付情報として設定する面付情報設定工程と、前記製本機設定情報取得工程で取得された製本機設定情報と、前記面付情報設定工程で設定された面付情報とから、複数の前記印刷データより面付済み印刷データを作成し、複数の前記面付済み印刷データの出力順序を決定する印刷データ出力順序決定工程と、前記印刷データ出力順序決定工程による出力順序で、複数の前記面付済み印刷データを前記印刷機へ出力する印刷データ出力工程と、が実行され、前記印刷機において、前記印刷データ出力工程より出力された順序で複数の前記面付済み印刷データによる表現内容を前記印刷用紙に印刷する印刷工程と、前記接続された製本機に前記印刷工程で印刷が行なわれた印刷用紙を供給する供給工程と、が実行されることを特徴としている。
【００１６】
請求項５に記載の印刷方法は、複数の印刷データによる表現内容を印刷用紙に印刷する際の面付と、製本機が製本のため印刷用紙を取得する方向と、に基づいて作成された面付済み印刷データの出力順序を決定することにより、オペレータが製本機における印刷用紙にピックアップを考慮して複数の印刷データの面付を行なわなくてもよいので、スキルレスな操作を実現する印刷方法を提供することができる。
【００１７】
更に請求項６に係わる発明は、請求項４に記載の印刷システムのコントローラを一般的に使用されているコンピュータで実現するためのプログラムを記録したコンピュータ読み取り可能な記録媒体である。
【００１８】
請求項６に記載の記録媒体は、該記録媒体に記録されたプログラムを一般的に使用されているコンピュータが実行することにより、請求項４に記載の印刷システムのコントローラとして実現することができる。
【００１９】
加えて請求項７に係わる発明は、請求項４に記載の印刷システムのコントローラを一般的に使用されているコンピュータで実現するためのプログラムである。
【００２０】
請求項７に記載のプログラムは、一般的に使用されているコンピュータが該プログラムを実行することにより、請求項４に記載の印刷システムのコントローラとして実現することができる。
【００２１】
【発明の実施の形態】
以降、本発明の実施例について説明を行なう。
図１は、本発明に係わる印刷システム１００の構成を説明するための図である。
コントローラ１は、一般的に使用されているパーソナルコンピュータであり、ＣＰＵ１１、表示部１２、入力部１３、ネットワークＩ／Ｆ１４、メディアドライブ１５、記憶部１６、メモリ１７より構成されている。ＣＰＵ１１は、コントローラ１全体を制御し、特にメディアドライブ１５に挿入されたメディアディスク１８に記録されているプログラムをメモリ１７において実行することによって、コントローラ１の機能を実現している。表示部１２は、コントローラ１の処理に必要な情報を表示するために使用される。入力部１３は、マウスやキーボードで構成されており、コントローラ１に対してオペレータが指示を入力するために使用する。ネットワークＩ／Ｆ１４は、コントローラ１と図示しないネットワークとを接続するためのものである。ネットワークＩ／Ｆ１４を介して、コントローラ１はネットワークに接続されている図示しない端末から印刷データＲＰＤを受信することができる。また、図示しないサーバより、コントローラ１の機能を実現するプログラムをダウンロードすることも可能である。さらに、印刷機２がネットワークを介してコントローラ１と接続されている場合には、このネットワークＩ／Ｆ１４を介して、印刷機２に面付済み印刷データＭＲＰＤ（後述する）を送信する。メディアドライブ１５は、メディアディスク１８に記録されているプログラムを読み取るために使用する。メディアドライブ１５で読み取られたプログラムにより、コントローラ１の機能が実現される。記憶部１６は、メディアドライブ１５で読み取られたプログラムを格納する。通信線ＣＬは印刷機２と通信可能なように接続されており、印刷機２に対して面付済み印刷データＭＲＰＤを送信するのに使用される。また、印刷機２から送信される製本機設定情報ＳＪを、通信線ＣＬを介して、コントローラ１は受信する。さらに、後述する面付情報設定部１７３で設定された面付情報ＭＪを、通信線ＣＬを介して、製本部２２へ送信する。なお、コントローラ１と印刷機２との接続は、ネットワークＩ／Ｆ１４を経て、図示しないネットワークを介して接続してもよい。
【００２２】
印刷機２は、通信線ＣＬでコントローラ１と通信可能なように接続されており、印刷部２１と製本部２２を備えている。
印刷部２１は、コントローラ１より送信された面付済み印刷データＲＰＤの表現する印刷像を印刷用紙に印刷する。印刷部２１における印刷手法としては、電子写真方式、インクジェット方式、あるいはオフセット方式を使用することができる。
製本部２２は、印刷部２１で印刷が行なわれた複数の印刷用紙に対して、後述する面付情報ＭＪの設定に基づいて、折り、綴じ処理を加えて製本を行なう。
また、印刷機２は、印刷データ出力順序決定のために製本部２２の設定に関する製本機設定情報ＳＪを、コントローラ１に対して送信する。
なお、この説明では、印刷機２に備えられた製本部２２は一種類だけであるが、印刷機２には複数の製本部２２を切り替えて接続するようにしてもよい。
さらに、この説明では、コントローラ１に接続されている印刷機２は一つだけであるが、複数の印刷機２をコントローラ１に接続するようにしてもよい。
【００２３】
メモリ１７は、記憶部１６によって記憶されたプログラムをＣＰＵ１１が実行するためのワークエリアである。ＣＰＵ１１によってプログラムが実行された結果、メモリ１７において、印刷データ格納部１７１、製本機設定情報取得部１７２、面付情報設定部１７３、印刷データ出力順序決定部１７４、印刷データ出力部１７５の機能が実現する。
【００２４】
印刷データ格納部１７１は、複数の印刷データＲＰＤを格納するために使用される。印刷データＲＰＤは、それぞれが印刷物１ページを表現する内容を格納しており、ビットマップ形式のファイルフォーマットを使用している。印刷データＲＰＤのファイルフォーマットはビットマップ形式に限らず、ＴＩＦＦ形式などを使用することもできる。
また、印刷データ格納部１７１は、後述するプロセスで作成された面付済み印刷データＭＲＰＤについても格納する。
なお、印刷データ格納部１７１は、記憶部１６に構成するようにしてもよい。
【００２５】
製本機設定情報取得部１７２は、印刷機２に備えられた製本部２２の設定に関する製本機設定情報ＳＪを取得する。製本部２２は、印刷部２１で印刷が行なわれた複数の印刷用紙を取得する際、集積された印刷用紙の上、もしくは下からピックアップする。そのピックアップに関する情報を、印刷機２は製本機設定情報ＳＪとして、通信線ＣＬを介して、コントローラ１へ送信する。製本機設定情報取得部１７２は、印刷機２から送信された製本機設定情報ＳＪを取得し、格納する。製本機設定情報取得部１７２が取得した製本機設定情報ＳＪは、後述する印刷データ出力順序決定部１７４における印刷データＲＰＤの出力順序決定プロセスにて使用される。
なお、製本機設定情報ＳＪを、コントローラ１のオペレータが入力部１３を使用して入力することにより、製本機設定情報取得部１７２が取得するようにしてもよい。
【００２６】
面付情報設定部１７３は、印刷データＲＰＤによる印刷処理を行なう際に、印刷用紙に対して行なう面付に関する情報を設定する。製本部２２で製本のため行なわれる折り処理や綴じ処理のため、コントローラ１は複数の印刷データＲＰＤの表現する印刷像が所定の規則（以降面付ルールと称する）で配置された形式で表現される面付済み印刷データＭＲＰＤを送信する。面付情報設定部１７３は、オペレータによる入力部１３の入力に基づいて、面付済み印刷データＭＲＰＤを作成するため、面付ルールに関する情報を記述した面付情報ＭＪを設定する。面付情報設定部１７３が設定した面付情報ＭＪは、後述する印刷データ出力順序決定部１７４における印刷データＲＰＤの出力順序決定プロセスにて使用される。また、面付情報設定部１７３は、通信線ＣＬを介して、面付情報ＭＪを製本部２２へ送信する。送信された面付情報ＭＪに基づいて、製本部２２は印刷用紙に対する製本処理を実行する（詳細は後述する）。
【００２７】
印刷データ出力順序決定部１７４は、印刷機２に対して該面付済み印刷データＭＲＰＤを送信する際の出力順序を決定する。前述のように、製本部２２における印刷用紙のピックアップに応じて、印刷用紙を集積しなければ、効率のよい製本処理を行なうことができない。そこで、印刷データ出力順序決定部１７４は、製本部２２の印刷用紙のピックアップに対応して、製本機設定情報ＳＪおよび面付情報ＭＪに基づいて、複数の印刷データＲＰＤを面付ルールに則って面付が行なわれた面付済み印刷データＭＲＰＤを作成し、該面付済み印刷データＭＲＰＤの出力順序を決定する。
【００２８】
印刷データ出力部１７５は、印刷データ出力順序決定部１７４により決定された順序で、面付済み印刷データＭＲＰＤを印刷機２へ出力する。面付済み印刷データＭＲＰＤは、通信線ＣＬを介して印刷機２へ送信される。それにより、印刷機２の印刷部２１が、面付済み印刷データＭＲＰＤの表現する印刷像を印刷用紙に印刷し、製本部２２が印刷部２１によって印刷が行なわれた印刷用紙の集積をピックアップし、面付情報ＭＪの設定に基づいて、製本のための折り処理、綴じ処理を行なう。
【００２９】
図２は、印刷システム１００の動作を説明するためのフローチャートである。ステップＳ１で、コントローラ１は図示しないＲＩＰ部の機能を使用して、ＰｏｓｔＳｃｒｉｐｔ（米アドビ・システムズ社の登録商標）のようなページ記述言語や、ＰＤＦ（Ｐｏｒｔａｂｌｅ　Ｄｏｃｕｍｅｎｔ　Ｆｏｒｍａｔ）のような形式を有するページデータＰＤに対してラスタライズ処理を行ない、２値化データにより印刷像を表現する印刷データＲＰＤを作成する。ここでページデータＰＤは、複数のページを有している印刷物を作成するためのものであり、ステップＳ１におけるラスタライズ処理の結果、１ページを表現する印刷像を表現する内容を格納した印刷データＲＰＤが複数作成される。こうして作成された印刷データＲＰＤは、印刷データ格納手段１７１に格納される。
【００３０】
ステップＳ２では、製本機設定取得部１７２が印刷機２の製本部２２から、印刷用紙のピックアップに関する情報を製本機設定情報ＳＪとして取得する。コントローラ１は、通信線ＣＬを介して接続している印刷機２の製本部２２より、印刷用紙のピックアップに関する情報を取得する。印刷用紙のピックアップに関する情報とは、製本部２２が、印刷部２１による印刷が繰り返し行なわれた結果集積した印刷用紙を取得するに際して、集積された印刷用紙の最上位から取得するか最下位から取得するか、また印刷用紙の表裏についての情報を意味している。製本部２２の印刷用紙のピックアップが「最上位」、すなわち集積された印刷用紙の最上位から取得する場合、図３（ａ）に示すように、集積した印刷用紙の一番上にある印刷用紙を製本のため取得する。
逆に製本部２２の印刷用紙のピックアップが「最下位」、すなわち集積された印刷用紙の最下位から取得する場合には、図３（ｂ）に示すように、集積した印刷用紙の一番下にある印刷用紙を製本のため取得する。
【００３１】
また、例えば、製本部２２が、図３（ｃ）に示すように、１枚の印刷用紙を折って４ページから構成されるリーフレットを作成する場合において、リーフレット表側となる１ページ、４ページが印刷された側が上を向いている状態（以下、フェイスアップと称する）で印刷用紙を取得するならば、製本機２２による印刷用紙のピックアップは「フェイスアップ」ということになる。
一方、リーフレット表側となる１ページ、４ページが印刷された側が下を向いている状態（以下、フェイスダウンと称する）で、製本機２２が印刷用紙を取得して製本を行なうならば、製本機２２による印刷用紙のピックアップは「フェイスダウン」となる。
【００３２】
したがって、製本機設定情報取得部１７２が製本部２２より取得する製本機設定情報ＳＪは、印刷用紙のピックアップに関する情報であって、「最上位」もしくは「最下位」、および「フェイスアップ」もしくは「フェイスダウン」の組み合わせとなる。製本機設定情報取得部１７２は、後述する面付済み印刷データＭＲＰＤの出力順序決定プロセスに使用するため、製本部２２から取得した製本機設定情報ＳＪを一時的に格納する。
【００３３】
ステップＳ３において、面付情報設定部１７３が、印刷物を作成するための面付情報ＭＪを設定する。オペレータは、入力部１３を操作して、面付情報設定部１７３に必要な入力を行なう。オペレータの入力に基づいて、面付情報設定部１７３は、面付情報ＭＪを設定する。
【００３４】
図４（ａ）は、面付情報ＭＪ設定のため、面付情報設定部１７３が表示部１２に表示する面付情報設定メニューＭＭＪを説明するためのものである。オペレータが入力部１３を操作して、この面付情報設定メニューＭＭＪに必要な情報を入力することにより、面付情報設定部１７３が面付情報ＭＪを設定する。
【００３５】
面付情報ＭＪを設定するため、面付情報設定メニューＭＭＪは、ページ数入力欄４１、両面印刷指定欄４２、折り数入力欄４３、折り方向指定欄４４、綴じ方指定欄４５、オフセット入力欄４６、ＯＫボタン４７、キャンセルボタン４８を備えている。
【００３６】
ページ数入力欄４１は、印刷データＲＰＤの数、すなわちページ数ｐｎを入力するために使用する。面付情報設定メニューＭＭＪがページ数入力欄４１に当初表示するページ数ｐｎは、印刷データ格納部１７１に格納された印刷データＲＰＤの数に一致している。オペレータが別途印刷するページ数ｐｎを指定したい場合には、入力部１３を操作して、ページ数入力欄４１に印刷を所望するページ数ｐｎを入力することができる。
【００３７】
両面印刷指定欄４２は、印刷用紙に対して両面印刷を実行するか否かを指定するために使用する。オペレータが入力部１３を操作して両面印刷指定欄４２のチェックボックスにチェックを入れた場合、コントローラ１は、通信線ＣＬを介して、印刷機２に対して、１枚の印刷用紙の表裏に印刷を行なう処理を指令する。印刷機２の印刷部２１は、該指令を受けて、コントローラ１より送信される二つの面付済み印刷データＭＲＰＤにより表現される印刷像を、印刷用紙の両面に印刷する。
なお、印刷機２の印刷部２１が片面印刷処理しかできない場合には、面付情報設定部１７３は、この両面印刷指定欄４２に対する入力を受け付けないようにしてもよい。
【００３８】
折り数入力欄４３は、所望する印刷物を製本する際の折り数ｏｎを入力する。折り数入力欄４３に入力された折り数ｏｎに基づいて、面付情報設定部１７３は、面付済み印刷データＭＲＰＤに使用する印刷データＲＰＤの数を設定する。
折り数ｏｎとは、１枚の印刷用紙に印刷が行なわれるページ数に関連する。例えば、１枚の印刷用紙に対する折り数ｏｎが「１」の場合、該１枚の印刷用紙には表裏合わせて４ページ分の印刷が行なわれる。折り数ｏｎが「２」であれば、１枚の印刷用紙の表裏に８ページ分の印刷が行なわれる。以下、折り数ｏｎの４の整数倍分のページが、１枚の印刷用紙の表裏に印刷される。
したがって、折り数入力欄４３に折り数ｏｎが入力されたならば、面付情報設定部１７３は、面付済み印刷データＭＲＰＤ作成に際して、「４×ｏｎ」個の印刷データＲＰＤを使用するものとして、面付情報ＭＪの設定を行なう。また、折り数入力欄４３に「１」以上の折り数ｏｎが入力されたならば、面付け情報設定部１７３は印刷機２の印刷部２１にて両面印刷が行なわれるものとして、面付情報ＭＪの設定を行なう。
【００３９】
折り方向指定欄４４は、所望する印刷物の開き方向を指定するために使用する。そのために、折り方向入力欄４４は、左開きボタン４４ａ、右開きボタン４４ｂを備えている。
開き方向とは、製本された印刷物をめくる際に正しいページの並びを指定するものであり、例えば左開きならば、印刷物のページを左にめくった場合にページが正しく並んでいる。逆に、右開きならば、印刷物のページを右にめくった場合にページが正しく並んでいる。
オペレータは、入力部１３を操作して、左開きボタン４４ａ、右開きボタン４４ｂのいずれかを押下する。左開きボタン４４ａが押下されたならば、所望する印刷物の開き方向は「左開き」として、面付情報設定部１７３が面付情報ＭＪを設定する。右開きボタン４４ｂが押下されたならば、所望する印刷物の開き方向は「右開き」として、面付情報設定部１７３が面付情報ＭＪを設定する。
なお、折り方向指定欄４４の左開きボタン４４ａ、右開きボタン４４ｂは、折り方向の性質から、同時に入力することはできない。
【００４０】
綴じ方指定欄４５は、所望する印刷物の綴じ方を指定するために使用する。そのために、綴じ方指定欄４５は、中綴じ指定ボタン４５ａ、平綴じ指定ボタン４５ｂ、左綴じ指定ボタン４５ｃ、右綴じ指定ボタン４５ｄを備えている。
綴じ方とは、所望する印刷物を製本する際に綴じ処理を行なう部分に関するものである。例えば中綴じであるならば、２ページを構成する印刷物の中央部に綴じ処理のため針金を通し、該中央部を折ることにより、製本がなされる。一方平綴じであるならば、折りを行なった印刷物を複数重ね合わせた状態で、印刷物の開く側とは反対の部分（「のど」と称する）に綴じ処理のため針金を通したり、糸でかがったり、あるいは接着剤を使用するなどして、製本を行なう。
オペレータは入力部１３を操作して、中綴じ指定ボタン４５ａ、平綴じ指定ボタン４５ｂのいずれかを押下する。中綴じ指定ボタン４５ａが押下されたならば、印刷機２の製本部２２で行なわれる製本は「中綴じ」であるものとして、面付情報設定部１７３が面付情報ＭＪを設定する。平綴じ指定ボタン４５ｂが押下されたならば、製本は「平綴じ」であるものとして、面付情報設定部１７３が面付情報ＭＪを設定する。
あるいは、折りを行なわない印刷物に対して綴じを指定する場合は、オペレータは左綴じ指定ボタン４５ｃ、もしくは右綴じ指定ボタン４５ｄを押下する。それにより、製本部２２で行なわれる綴じ方は、印刷用紙の左端、もしくは右端を綴じるものとして、面付情報設定部１７３が面付情報ＭＪを設定する。
なお、中綴じ指定ボタン４５ａ、平綴じ指定ボタン４５ｂ、左綴じ指定ボタン４５ｃ、右綴じ指定ボタン４５ｄは、綴じ方の性質から、同時に入力することはできない。
【００４１】
オフセット入力欄４６は、印刷用紙上に複数の印刷データＲＰＤによって表現される印刷像の位置を設定するために使用する。オペレータは入力部１３を操作して、印刷用紙左下点を原点とする位置からのオフセット値ｏｃを入力する。ここで入力されるオフセット値ｏｃの単位は、ｍｍ（ミリメートル）、ピクセル数など、任意の単位を使用することができる。該入力されたオフセット値ｏｃにより指定された位置に、印刷データＲＰＤの表現する印刷像の左下点が位置するものとして、面付情報設定部１７３は面付情報ＭＪを設定する。
折り数ｏｎが入力されている場合には、面付済み印刷データＭＲＰＤを作成するために使用された複数の印刷データＲＰＤにより表現される印刷像が印刷用紙上に印刷されることになる。この場合、印刷データＲＰＤにより表現される印刷像の位置は、折りが行なわれる位置とオフセット値ｏｃとから求められる（詳細は後述する）。
【００４２】
オペレータは、面付情報設定メニューＭＭＪに対する入力に満足したならば、入力部１３を操作して、ＯＫボタン４７を押下する。これにより、面付情報設定部１７３は面付情報設定メニューＭＭＪに対して行なわれた入力に基づき、面付情報ＭＪの設定を確定し、面付情報設定メニューＭＭＪの表示を中止する。一方、面付情報設定メニューＭＭＪに対する入力に満足しなかった場合、あるいは入力を中止したい場合には、オペレータはキャンセルボタン４８を押下する。キャンセルボタン４７が押下されたならば、面付情報設定部１７３は、面付情報ＭＪの設定を確定することなく、面付情報設定メニューＭＭＪの表示を中止する。
【００４３】
例えば、オペレータが、面付情報設定メニューＭＭＪに対して、ページ数入力欄４１に「８」、両面印刷指定欄４２は指定せず、折り数入力欄４３に「１」を入力し、折り方向指定欄４４には「右方向」、綴じ方指定欄４５には「中綴じ」を指定し、オフセット入力欄４６に「５ｍｍ、５ｍｍ」を入力した場合、図４（ｂ）に示すような面付情報ＭＪを、面付情報設定部１７３が設定する。その結果、面付情報ＭＪとして、ページ数ｐｎとして「８」、折り数ｏｎが入力されていることから、両面印刷については「実行」、折り数ｏｎに「１」、折り方向が「右」、綴じ方として「中綴じ」、そしてオフセット値ｏｃ「５ｍｍ、５ｍｍ」が設定されることになる。
【００４４】
面付情報設定部１７３は、このようにして設定された面付情報ＭＪを一時的に記憶する。また、面付情報ＭＪを、通信線ＣＬを介して、印刷機２へ送信する。後述するプロセスにおいて、印刷機２は面付情報ＭＪの設定に基づいて、印刷部２１における両面印刷、および製本部２２における折り処理、綴じ処理を実行する。
【００４５】
ステップＳ４において、印刷データ出力順序決定部１７４が、製本機設定情報取得部１７２が取得した製本機設定情報ＳＪおよび面付情報設定部１７３が設定した面付情報ＭＪに基づいて、印刷データ格納部１７１に格納された複数の印刷データＲＰＤから面付済み印刷データＭＲＰＤを作成し、該面付済み印刷データＭＲＰＤの出力順序を決定する。
【００４６】
図５は、印刷データ出力順序決定部１７４が、面付情報ＭＪに基づいて行なう面付について説明するための図である。図５（ａ）は、ページ数ｐｎが「８」、折り数ｏｎが「１」で、綴じ方向が「右」で「平綴じ」を行なう場合に行なわれる面付を説明するための図である。折り数ｏｎが「１」であることから、１枚の印刷用紙に対して行なわれる折りの数は一つとなり、その結果、印刷用紙に面付られるページ数は表裏合わせて４ページということになる。また、ページ数ｐｎが「８」であることから、８ページ分の印刷を行なうのに必要な印刷用紙は２枚となる。そして、綴じ方向が「右」で綴じ方が「平綴じ」であることから、ページ番号の若いページが印刷用紙表裏それぞれ右側に印刷され、ページ番号の順番とおりに印刷用紙それぞれに印刷が行なわれる。したがって、図示しているように、図５（ａ）においては、１枚の印刷用紙に対して、表側にページｐ４、ｐ１、裏側にページｐ３、ｐ２という配置で、４ページ分の印刷が行なわれ、２枚目の印刷用紙には、残りのページであるｐ５、ｐ６、ｐ７、ｐ８が図示しているような配置で印刷されることになる。
【００４７】
一方、図５（ｂ）は、ページ数ｐｎが「８」、折り数ｏｎが「１」で、綴じ方向が「右」で「中綴じ」を行なう場合に行なわれる面付を説明するための図である。図５（ｂ）において、ページ数ｐｎ、折り数ｏｎについては、図５（ａ）と同様であることから、１枚の印刷用紙に対して行なわれる折りの数、面付けられるページ数、および必要な印刷用紙の枚数は、図５（ａ）と変わりはない。
しかし、綴じ方が「中綴じ」であることから、ページの配置は図５（ａ）と異なり、図示しているように、印刷用紙表に最後のページであるｐ８と最初のページであるページｐ１とが印刷され、印刷用紙裏にページｐ８の前ページであるページｐ７と、ページｐ１の次ページであるｐ２が印刷される。また、もう１枚の印刷用紙には、残りのページであるｐ３、ｐ４、ｐ５、ｐ６が、図示しているような配置で印刷されることになる。
【００４８】
なお、このような面付はパターンが決まっているので、印刷データ出力順序決定部１７４は複数の面付パターンを格納することにより、１枚の印刷用紙に対して４の正倍数の印刷データＲＰＤを面付することができる。例えば、図６（ａ）に示すように、１枚の印刷用紙の表裏に４ページずつ都合８ページの印刷が行なわれるように、８個の印刷データＲＰＤを面付してもよいし、図６（ｂ）に示すように、１枚の印刷用紙の表裏に８ページずつ都合１６ページの印刷が行なわれるよう、１６個の印刷データＲＰＤを面付することも可能である。
【００４９】
図７は、図５に示したような面付を行なった印刷を行なうため、複数の印刷データＲＰＤから作成された面付済み印刷データＭＲＰＤの構成を説明するための図である。
図７（ａ）は、図４（ｂ）に示した面付情報ＭＪの設定に基づいて、印刷用紙Ｐ１、Ｐ２に、印刷データＲＰＤ１、ＲＰＤ２、ＲＰＤ３、ＲＰＤ４、ＲＰＤ５、ＲＰＤ６、ＲＰＤ７、ＲＰＤ８の表現する印刷像が印刷された状態を示すためのものである。図示しているように、印刷用紙Ｐ１の表側Ｐ１ｓには、印刷データＲＰＤ８、ＲＰＤ１の表現する印刷像が印刷されており、裏側Ｐ１ｒには、印刷データＲＰＤ７、ＲＰＤ２の表現する印刷像が印刷されている。印刷データＲＰＤ８による印刷像は、印刷用紙Ｐ１の左下点Ｏｓからのオフセット値ｏｃ「５ｍｍ、５ｍｍ」の位置に該印刷像の左下点ｏ８が位置するように配置されている。一方、印刷データＲＰＤ１による印刷像は、印刷用紙Ｐ１の中点Ｏｈからのオフセット値ｏｃ「５ｍｍ、５ｍｍ」の位置に該印刷像の左下点ｏ１が位置するよう配置されている。これは、印刷用紙Ｐ１に対して折りが行なわれるために、印刷データＲＰＤ１の表現する印刷像のオフセット位置は、折りが行なわれる位置を原点とするオフセット値により決定される。
【００５０】
また、印刷用紙Ｐ１の裏側Ｐ１ｒについても、印刷用紙Ｐ１の左下点Ｏｒからのオフセット値ｏｃで指定される位置に、印刷データＲＰＤ７の表現する印刷像が配置され、同様に印刷用紙Ｐ１の中点Ｏｈからのオフセット値ｏｃで指定される位置に、印刷データＲＰＤ２の表現する印刷像が配置される。さらに、印刷用紙Ｐ２に対しても、印刷用紙Ｐ１同様に、印刷データＲＰＤ３、ＲＰＤ４、ＲＰＤ５、ＲＰＤ６それぞれが表現する印刷像が配置される。
【００５１】
その結果、印刷データ出力順序決定部１７４により、図７（ｂ）に示すような面付済み印刷データＭＲＰＤが作成される。図示しているように、面付済み印刷データＭＲＰＤそれぞれは、印刷用紙Ｐ１の表側Ｐ１ｓ、裏側Ｐ１ｒ、印刷用紙Ｐ２の表側Ｐ２ｓ、裏側Ｐ２ｒ各々に印刷を行なうため、複数の印刷データＲＰＤから構成されている。
面付済み印刷データＭＲＰＤ１においては、印刷データＲＰＤ８およびＲＰＤ１、並びにそれぞれのオフセット値ｏｃを格納している。ここで、印刷データＲＰＤ１のオフセット値ｏｃについては、印刷用紙Ｐ１の中点Ｏｈから位置指定が行なわれることから、面付情報ＭＪで設定されたオフセット値のｘ値と、中点Ｏｈのｘ軸座標値との和となっている。したがって、図６（ａ）に示される印刷用紙の右側に配置される印刷像を表現するための印刷データＲＰＤ２、ＲＰＤ３、ＲＰＤ４それぞれについても、変更されたオフセット値を有することになる。
【００５２】
このようにして、印刷データ出力順序決定部１７４によって作成された面付済み印刷データＭＲＰＤそれぞれは、一時的に印刷データ格納部１７１に格納され
【００５３】
る。
【００５４】
さらに、印刷データ出力順序決定部１７４は、製本機設定情報取得部１７２に格納された製本機設定情報ＳＪに基づいて、印刷機２に対する面付済み印刷データＭＲＰＤの出力順序を決定する。印刷データ出力順序決定部１７４は、製本機設定情報ＳＪとして取得した製本部２２における印刷用紙のピックアップについて「最上位」もしくは「最下位」、および「フェイスアップ」もしくは「フェイスダウン」により、面付済み印刷データＭＲＰＤの出力順序を決定する。
まず、印刷データ出力順序決定部１７４は、面付済み印刷データＭＲＰＤの出力順序を決定するに際して、製本部２２による印刷用紙のピックアップが「最上位」もしくは「最下位」であるかにより、面付済み印刷データＭＲＰＤの出力順序を判断する。
【００５５】
例えば、
（１）製本部２２が製本に際して印刷用紙を「最上位」で取得する場合
この場合には、面付済み印刷データＭＲＰＤ１〜ｎ（ｎは正の整数かつ、偶数）の出力順序は、面付済み印刷データＭＲＰＤ１を最後に印刷し、面付済み印刷データＭＲＰＤｎを最先に印刷することから、印刷データ出力順序決定部１７４は、面付済み印刷データＭＲＰＤの出力順序をＭＲＰＤｎ、ＭＲＰＤｎ−１、……、ＭＲＰＤ２、ＭＲＰＤ１となることから、面付済み印刷データＭＲＰＤの出力順序は昇順となる。
（２）製本部２２が印刷用紙を「最下位」で取得する場合
この場合、面付済み印刷データＭＲＰＤ１〜ｎ（ｎは、正の整数かつ偶数）の出力順序は、面付済み印刷データＭＲＰＤ１を最先に印刷し、面付済み印刷データＭＲＰＤｎを最後に印刷することから、面付済み印刷データＭＲＰＤの出力順序は降順となるので、ＭＲＰＤ１、ＭＲＰＤ２、……ＭＲＰＤｎ−１、ＭＲＰＤｎとなる。
【００５６】
さらに、印刷データ出力順序決定部１７４は、製本部２２による印刷用紙のピックアップが「フェイスアップ」が「フェイスダウン」であるかにより、面付済み印刷データＭＲＰＤの出力順序を調整する。印刷データ出力順序決定部１７４は、製本機２２による印刷用紙のピックアップが「フェイスアップ」であるとき、製本機２２による印刷用紙のピックアップが「最上位」もしくは「最下位」であるかにより決定された面付済み印刷データＭＲＰＤの出力順序について、「偶数→奇数」の並び方に調整する。
逆に、製本機２２による印刷用紙のピックアップが「フェイスダウン」であるとき、製本機２２による印刷用紙のピックアップが「最上位」もしくは「最下位」であるかにより決定された面付済み印刷データＭＲＰＤの出力順序について、印刷データ出力順序決定部１７４が、「奇数→偶数」の並び方に調整する。
【００５７】
すなわち、
（１ａ）製本部２２が製本に際して印刷用紙を「最上位」かつ「フェイスアップ」で取得する場合
この場合には、面付済み印刷データＭＲＰＤ１を印刷した印刷用紙が集積した印刷用紙の最上位となり、しかも面付済み印刷データＭＲＰＤ１を印刷した面が上向きになることから、面付済み印刷データＭＲＰＤの出力順序は「偶数→奇数」のままであるので、印刷データ出力順序決定部１７４により決定される面付済み印刷データＭＲＰＤの出力順序は、ＭＲＰＤｎ、ＭＲＰＤｎ−１、……、ＭＲＰＤ２、ＭＲＰＤ１となる（ｎは、正の整数かつ偶数）（図８（ａ）参照）。
（１ｂ）製本部２２が製本に際して印刷用紙を「最上位」かつ「フェイスダウン」で取得する場合
この場合には、面付済み印刷データＭＲＰＤ１を印刷した印刷用紙が集積した印刷用紙の最上位となるが、面付済み印刷データＭＲＰＤ１を印刷した面は下向きになる。従って、印刷データ出力順序決定部１７４は、面付済み印刷データＭＲＰＤの出力順序を「奇数→偶数」の並び方に調整することにより、面付済み印刷データの出力順序をＭＲＰＤｎ−１、ＭＲＰＤｎ、……、ＭＲＰＤ２、ＭＲＰＤ１として決定する（ｎは、正の整数かつ偶数）（図８（ｂ）参照）。
【００５８】
一方、
（２ａ）製本部２２が製本に際して印刷用紙を「最下位」かつ「フェイスダウン」で取得する場合
この場合、面付済み印刷データＭＲＰＤ１を印刷した印刷用紙が集積した印刷用紙の最下位となり、しかも面付済み印刷データＭＲＰＤ１を印刷した面が下向きになることから、面付済み印刷データＭＲＰＤの出力順序は「奇数→偶数」のままであるので、印刷データ出力順序決定部１７４により決定される面付済み印刷データＭＲＰＤの出力順序は、　ＭＲＰＤ１、ＭＲＰＤ２、……、ＭＲＰＤｎ−１、ＭＲＰＤｎとなる（ｎは、正の整数かつ偶数）（図８（ｃ）参照）。
（２ｂ）製本部２２が製本に際して印刷用紙を「最下位」かつ「フェイスアップ」で取得する場合
この場合、面付済み印刷データＭＲＰＤ１を印刷した印刷用紙が集積した印刷用紙の最下位となるが、面付済み印刷データＭＲＰＤ１を印刷した面が上向きになる。従って、印刷データ出力順序決定部１７４は、面付済み印刷データＭＲＰＤの出力順序を「偶数→奇数」の並び方に調整することにより、面付済み印刷データの出力順序をＭＲＰＤ２、ＭＲＰＤ１、……、ＭＲＰＤｎ、ＭＲＰＤｎ−１として決定する（ｎは、正の整数かつ偶数）（図８（ｄ）参照）。
【００５９】
印刷データ出力順序決定部１７４は、このようにして、製本機設定情報ＳＪとして取得した製本機２２における印刷用紙のピックアップに関する情報により、面付済み印刷データＭＲＰＤの出力順序を決定する。図８（ｆ）は、（１ａ）の場合に、印刷データ出力順序決定部１７４が決定した印刷順序と面付済み印刷データＭＲＰＤとの関係を示す面付済み印刷データ出力順序表ＯＰＳを説明するための図である。この面付済み印刷データ出力順序表ＯＰＳは、印刷データ出力順序決定部１７４に格納される。図８（ｆ）に示した面付済み印刷データ出力順序表ＯＰＳに基づいて、後述するプロセスで、面付済み印刷データＭＲＰＤの出力が行なわれる。
なお、この面付済み印刷データ出力順序表ＯＰＳについて、オペレータが入力部１３により入力を行なうことで、さらに面付済み印刷データＭＲＰＤの出力順序を調整できるようにしてもよい。
【００６０】
ステップＳ５において、印刷データ出力部１７５が、ステップＳ４で求められた出力順序で、面付済み印刷データＭＲＰＤを印刷機２へ出力する。印刷データ出力部１７５は、印刷データ格納部１７１に格納された面付済み印刷データＭＲＰＤを複数読出し、通信線ＣＬを介して、印刷データ出力順序決定部１７４が決定した出力順序で、印刷機２へ送信する。
あるいは、印刷データ出力部１７５は、、印刷データ出力順序決定部１７４が決定した出力順序で印刷データ格納部１７１に格納された面付済み印刷データＭＲＰＤを複数読み出して、印刷機２へ送信するようにしてもよい。
また、このとき、コントローラ１は面付情報ＭＪを印刷機２へ送信する。これにより、印刷機２の印刷部２１は、面付情報ＭＪで両面印刷が設定されている場合、両面印刷処理を実行する。
【００６１】
ステップＳ６で、印刷機２の印刷部２１が、受信した順序で面付済み印刷データＭＲＰＤを印刷用紙に印刷し、印刷部２１の印刷の結果集積された印刷用紙をピックアップして、製本部２２が製本処理を行なう。
また、製本部２２は、印刷機２に送信された面付情報ＭＪに設定された綴じ方、折り方で、印刷用紙の製本処理を実行する。
【００６２】
このように、図１に示した印刷システム１００が、図２に示したフローチャートのように動作することにより、製本機におけるピックアップを考慮して面付を行なうスキルをオペレータに要求することのない印刷システムを提供することが可能となる。
【００６３】
「変形例」
これまでの説明では、１枚の印刷用紙に表裏４ページの面付を行なうものとして説明を行なってきたが、１枚の印刷用紙に表裏８ページ、１６ページ、３２ページ、と４の正倍数のページを面付する場合においても、本発明を適用することができる。
【００６４】
また、印刷部２１により印刷が行なわれた結果、集積された印刷用紙から製本部２２がピックアップを行なうものとして説明を行なってきたが、印刷部２１により印刷された印刷用紙を製本部２２が逐一ピックアップする場合においても、本発明を適用することができる。
【００６５】
さらに、これまでの説明では、印刷機２が製本部２２を備えているよう説明を行なってきたが、製本部２２が印刷機２と離隔した位置に備えられていても、本発明を適用することができる。
【００６６】
加えて、これまでの説明では、コントローラ１と印刷機２とが別個のものとして説明を行なってきたが、コントローラ１と印刷機２とが一体のものであったとしても、本発明を適用することができる。
【００６７】
また、これまでの説明では、面付済み印刷データＭＲＰＤを印刷部２１で印刷するものとして説明を行なってきたが、印刷データＲＰＤを印刷部２１で印刷したとしても、本発明を適用することができる。
【図面の簡単な説明】
【図１】印刷システム１００の構成を説明するための図である。
【図２】印刷システム１００の動作を説明するための図である。
【図３】製本部２２における印刷用紙のピックアップを説明するための図である。
【図４】面付情報設定メニューＭＭＪの構成、および面付情報ＭＪの構成を説明するための図である。
【図５】平綴じ、および中綴じを行なう場合の面付を説明するための図である
【図６】１枚の印刷用紙に、８ページ、および１６ページの面付を行なった場合について、説明するための図である。
【図７】面付済み印刷データＭＲＰＤの構成を説明するための図である。
【図８】印刷データ出力順序決定部１７４による面付済み印刷データＭＲＰＤの出力順序決定について説明するための図である。
【符号の説明】
１　コントローラ
２　印刷機
１１　ＣＰＵ
１２　表示部
１３　入力部
１４　ネットワークＩ／Ｆ
１５　メディアドライブ
１６　記憶部
１７　メモリ
１８　メディアディスク
２１　印刷部
２２　製本部
４１　ページ数入力欄
４２　両面印刷指定欄
４３　折り数入力欄
４４　折り方向指定欄
４４ａ　左開きボタン
４４ｂ　右開きボタン
４５　綴じ方指定欄
４５ａ　中綴じ指定ボタン
４５ｂ　平綴じ指定ボタン
４５ｃ　左綴じ指定ボタン
４５ｄ　右綴じ指定ボタン
４６　オフセット入力欄
４７　ＯＫボタン
１００　印刷システム
ＣＬ　通信線
ＭＪ　面付情報
ＭＭＪ　面付情報設定部
ＭＲＰＤ、ＭＲＰＤ１、ＭＲＰＤ２、ＭＲＰＤ３、ＭＲＰＤ４、ＭＲＰＤｎ−１、ＭＲＰＤｎ　面付済み印刷データ
Ｏｓ、Ｏｒ　オフセット原点
Ｏｈ　印刷用紙における中点
ｏｃ　オフセット値
ｏｎ　折り数
ＯＰＳ　面付済み印刷データ出力順序表
ＲＰＤ　印刷データ
ｐｎ　ページ数
ＳＪ　製本機設定情報
【図１】
2004078449.tif 000003
【図２】
2004078449.tif 000004
【図３】
2004078449.tif 000005
【図４】
2004078449.tif 000006
【図５】
2004078449.tif 000007
【図６】
2004078449.tif 000008
【図７】
2004078449.tif 000009
【図８】
2004078449.tif 000010